(57)【要約】【課題】内部の流体の漏洩を防止し、ポンプ数を少なくしてコンパクトな構成とした燃料電池システムを提供する。【解決手段】燃料電池システムは、アノード３、カソード５およびこれらに挟持された電解質膜７を有する燃料電池１と、前記アノード３へ燃料を供給する燃料供給ユニット２７と、前記カソード５へ酸化剤を含むガスを導入すべく負圧を付与するポンプ３１を有するガス供給ユニット２９と、を備える。【選択図】図３
2004146371.tif 000002
【特許請求の範囲】
【請求項１】
　燃料電池システムであって、
　アノードとカソードの間に電解質膜を挟持してなる燃料電池と、
　前記アノードへ燃料を供給する燃料供給ユニットと、
　前記カソードへ酸化剤を含むガスを導入すべく負圧を付与するポンプを有するガス供給ユニットと、を備えていることを特徴とする燃料電池システム。
【請求項２】
　請求項１に記載の燃料電池システムであって、
　前記ポンプはさらに前記燃料供給ユニットに接続されていて、前記燃料供給ユニットへ正圧を付与する構成であることを特徴とする燃料電池システム。
【請求項３】
　請求項２に記載の燃料電池システムであって、
　前記ポンプは、前記燃料供給ユニットへ正圧を付与し、前記アノードへ前記燃料を供給せしめるべく、さらに前記燃料供給ユニットへ接続されている構成であることを特徴とする燃料電池システム。
【請求項４】
　請求項１に記載の燃料電池システムであって、
　前記ポンプは、前記燃料供給ユニットへ正圧を付与し、前記アノードへ前記燃料を供給せしめるべく、さらに前記燃料供給ユニットへ接続されている構成であることを特徴とする燃料電池システム。
【請求項５】
　燃料電池システムであって、
　アノードとカソードの間に電解質膜を挟持してなる燃料電池と、
　前記アノードへ燃料を供給する燃料供給ユニットと、
　前記カソードへ酸化剤を含むガスを導入するポンプを有するガス供給ユニットと、
　前記カソードと前記燃料供給ユニットを連絡する排気路と、を備え、前記ポンプは前記排気路を通じて前記燃料供給ユニットへ正圧を付与する構成であることを特徴とする燃料電池システム。
【請求項６】
　前記請求項５に記載の燃料電池システムであって、
　前記ポンプは前記カソードの下流に配置されている構成であることを特徴とする燃料電池システム。
【請求項７】
　請求項５に記載の燃料電池システムであって、
　前記ポンプは前記カソードの上流に配置されている構成であることを特徴とする燃料電池システム。
【請求項８】
　請求項５に記載の燃料電池システムであって、
　前記燃料供給ユニットは、混合バッファタンクを備える構成であることを特徴とする燃料電池システム。
【請求項９】
　請求項８に記載の燃料電池システムであって、
　前記混合バッファタンクは、前記カソードからの排気を前記燃料と混合すべく前記排気路と接続される構成であることを特徴とする燃料電池システム。
【請求項１０】
　請求項５に記載の燃料電池システムであって、さらに
　前記燃料の流量を検出する流量センサと、前記流量センサにより検出された前記流量に基づいて前記正圧を制御するコントローラを備える構成であることを特徴とする燃料電池システム。
【請求項１１】
　請求項８に記載の燃料電池システムであって、さらに
　前記燃料の流量を検出する流量センサと、前記流量センサにより検出された前記流量に基づいて前記混合バッファタンク内の圧力を制御するコントローラを備える構成であることを特徴とする燃料電池システム。
【請求項１２】
　請求項５に記載の燃料電池システムであって、さらに
　前記燃料の圧力を検出する圧力センサと、前記圧力センサにより検出された前記圧力に基づいて前記正圧を制御するコントローラを備える構成であることを特徴とする燃料電池システム。
【請求項１３】
　請求項８に記載の燃料電池システムであって、さらに
　前記燃料の圧力を検出する圧力センサと、前記圧力センサにより検出された前記圧力に基づいて前記混合バッファタンク内の圧力を制御するコントローラを備える構成であることを特徴とする燃料電池システム。
【請求項１４】
　燃料電池システムであって、
　アノードとカソードの間に電解質膜を挟持してなる燃料電池と、
　前記アノードへ燃料を供給する燃料供給ユニットと、
　前記カソードへ酸化剤を含むガスを導入するガス供給ユニットと、
　前記アノードおよび前記カソードからの排気路と、
　前記排気路を開閉しうる第一の開閉バルブと、
　前記燃料電池の電力供給をスイッチする電源スイッチと、を備え、
　前記第一の開閉バルブは、前記電源スイッチに伴って開閉される構成であることを特徴とする燃料電池システム。
【請求項１５】
　請求項１４に記載の燃料電池システムであって、さらに
　前記燃料電池システムの傾斜を検出する傾斜センサを備え、前記第一の開閉バルブは、前記傾斜センサが傾斜を検出すると閉塞される構成であることを特徴とする燃料電池システム。
【請求項１６】
　燃料電池システムであって、
　アノードとカソードの間に電解質膜を挟持してなる燃料電池と、
　前記アノードへ燃料を供給する燃料供給ユニットと、
　前記カソードへ酸化剤を含むガスを導入するガス供給ユニットと、
　前記燃料供給ユニットを開閉しうる第二の開閉バルブと、
　前記燃料電池の電力供給をスイッチする電源スイッチと、を備え、
　前記第二の開閉バルブは、前記電源スイッチに伴って開閉される構成であることを特徴とする燃料電池システム。
【請求項１７】
　請求項１６に記載の燃料電池システムであって、さらに
　前記燃料電池システムの傾斜を検出する傾斜センサを備え、前記第二の開閉バルブは、前記傾斜センサが傾斜を検出すると閉塞される構成であることを特徴とする燃料電池システム。
【請求項１８】
　燃料電池システムであって、
　アノードとカソードの間に電解質膜を挟持してなる燃料電池と、
　前記アノードへ燃料を供給する燃料供給ユニットと、
　前記カソードへ酸化剤を含むガスを導入するガス供給ユニットと、
　前記アノードおよび前記カソードからの排気路と、
　前記排気路を開閉しうる第一の開閉バルブと、
　前記燃料供給ユニットを開閉しうる第二の開閉バルブと、
　前記燃料電池の電力供給をスイッチする電源スイッチと、を備え、
　前記第一の開閉バルブと前記第二の開閉バルブの少なくとも一方は、前記電源スイッチに伴って開閉される構成であることを特徴とする燃料電池システム。
【請求項１９】
　請求項１８に記載の燃料電池システムであって、
　前記第一の開閉バルブと前記第二の開閉バルブの両方が前記電源スイッチに伴って開閉される構成であることを特徴とする燃料電池システム。
【請求項２０】
　請求項１８に記載の燃料電池システムであって、さらに、
　前記燃料電池システムの傾斜を検出する傾斜センサを備え、前記第一の開閉バルブと前記第二の開閉バルブの少なくとも一方は、前記傾斜センサが傾斜を検出すると閉塞される構成であることを特徴とする燃料電池システム。
【請求項２１】
　請求項２０に記載の燃料電池システムであって、
　前記第一の開閉バルブと前記第二の開閉バルブの両方が前記傾斜センサが傾斜を検出すると閉塞される構成であることを特徴とする燃料電池システム。
【発明の詳細な説明】
【技術分野】
【０００１】
　本発明は、燃料電池システムに関わるものであり、さらに詳細には、内部の液体の漏洩を防止し、ポンプの数を減じてコンパクトな構成とした燃料電池に関わるものである。
【背景技術】
【０００２】
　一般的に、燃料電池１は、図１に示されるごとく、アノード３、カソード５およびこれらに挟持された電解質膜７を備える。なお図１では、直接型メタノール燃料電池を例示している。図２は、燃料電池システムの一般的構成と考えられる例である。燃料（この場合はメタノール）は、ポンプ１１によってアノード３に供給され、酸化剤（一般的には酸素）を含むガス（一般的には空気）はポンプ１３によってカソード５に供給される。アノード３とカソード５において、それぞれ下記の反応が進行する。
【０００３】
　アノード３において、
　　　　CH3OH + H2O → CO2 + 6H+ + 6e- − 121.9kJ/mol −(1)
　カソード５において、
　　　　3/2O2 + 6H+ + 6e- → 3H2O + 141.95kJ/mol −(2)
　もしプロトンと電子がアノード３とカソード５の間で自由に交換されるとすると、下記の全反応が前記燃料電池の内部で完結し、発電は起こらないことになる。
【０００４】
　　　　CH3OH + 3/2O2 → CO2 + 2H2O + 20.05kJ/mol −(3)
　しかしながら、前記電解質膜７はカチオン選択性を有しており、カチオン（この場合はプロトン）がアニオン（この場合は電子）よりも優先して輸送される。それゆえ、電子が前記燃料電池の外部に取り出されるので、図１に示されるがごとく、発電が可能となる。前記発電の過程において、アノード３において二酸化炭素が、カソード５において水が生成する。
【０００５】
　前記カチオン選択性を付与せしめるために、前記電解質膜７は保湿する必要がある。保湿のための水は前記メタノールに予め混合しておき、これを供給することが提案されている。
【０００６】
　前記メタノールの一部は、前記アノード３から前記カソード５へ前記電解質膜７を浸透することが知られており、これを「クロスオーバーメタノール」と呼んでいる。前記クロスオーバーメタノールは、前記カソード５において、前記反応方程式(1)に従って水と反応し、逆起電力の原因となって、前記燃料電池の起電力を抑制する。
【０００７】
　関連技術は、日本国特許公開公報２００２−１１０１９９号に開示されている。前記関連技術による燃料電池は、アノードおよび／またはカソードにおける反応生成物を再利用している。
【特許文献１】特開２００２−１１０１９９号公報
【発明の開示】
【発明が解決しようとする課題】
【０００８】
　前記反応方程式(2)より理解されるように、カソードにおいて水が連続的に生成される。前記水は、排気流路において結露しやすく、前記結露水は前記排気流路を閉塞しやすい。前記排気流路が閉塞されると、内圧が高まって、期待されない問題の懸念が生じる。例えば、流路のいずれかから漏水が起こったり、前記電池反応自体に悪影響が生じることがある。
【課題を解決するための手段】
【０００９】
　本発明は前記問題に鑑みてなされたものであって、内部の液体の漏洩を防止した燃料電池の提供を目的とする。
【００１０】
本発明の第一の局面によれば、燃料電池システムは、アノードとカソードの間に電解質膜を挟持してなる燃料電池と、前記アノードへ燃料を供給する燃料供給ユニットと、前記カソードへ酸化剤を含むガスを導入すべく負圧を付与するポンプを有するガス供給ユニットと、を備える。
【００１１】
　本発明の第二の局面によれば、燃料電池システムは、アノードとカソードの間に電解質膜を挟持してなる燃料電池と、前記アノードへ燃料を供給する燃料供給ユニットと、前記カソードへ酸化剤を含むガスを導入するポンプを有するガス供給ユニットと、前記カソードと前記燃料供給ユニットを連絡する排気路と、を備え、前記ポンプは前記排気路を通じて前記燃料供給ユニットへ正圧を付与する。
【００１２】
　本発明の第三の局面によれば、燃料電池システムは、アノードとカソードの間に電解質膜を挟持してなる燃料電池と、前記アノードへ燃料を供給する燃料供給ユニットと、前記カソードへ酸化剤を含むガスを導入するガス供給ユニットと、前記アノードおよび前記カソードからの排気路と、前記排気路を開閉しうる第一の開閉バルブと、前記燃料電池の電力供給をスイッチする電源スイッチと、を備え、前記第一の開閉バルブは、前記電源スイッチに伴って開閉される。
【００１３】
　本発明の第四の局面によれば、アノードとカソードの間に電解質膜を挟持してなる燃料電池と、前記アノードへ燃料を供給する燃料供給ユニットと、前記カソードへ酸化剤を含むガスを導入するガス供給ユニットと、前記燃料供給ユニットを開閉しうる第二の開閉バルブと、前記燃料電池の電力供給をスイッチする電源スイッチと、を備え、前記第二の開閉バルブは、前記電源スイッチに伴って開閉される。
【００１４】
　本発明の第五の局面によれば、アノードとカソードの間に電解質膜を挟持してなる燃料電池と、前記アノードへ燃料を供給する燃料供給ユニットと、前記カソードへ酸化剤を含むガスを導入するガス供給ユニットと、前記アノードおよび前記カソードからの排気路と、前記排気路を開閉しうる第一の開閉バルブと、前記燃料供給ユニットを開閉しうる第二の開閉バルブと、前記燃料電池の電力供給をスイッチする電源スイッチと、を備え、前記第一の開閉バルブと前記第二の開閉バルブの少なくとも一方は、前記電源スイッチに伴って開閉される。
【発明の効果】
【００１５】
　本発明によれば、燃料電池内の液体のもれを防止することができると共に、ポンプ数を少なくして全体的構成の小型化を図ることができるものである。
【発明を実施するための最良の形態】
【００１６】
　本発明の第一の実施形態を図３を参照して以下に説明する。
【００１７】
　第一の実施形態による燃料電池システムは、アノード３、カソード５およびこれらに挟持された電解質膜７を備える燃料電池１を備える。前記燃料電池システムはさらに、前記アノード３に接続された燃料供給ユニット２７と、前記カソード５に接続されたガス供給ユニット２９を備える。前記燃料供給ユニット２７は、前記アノード３へ燃料を供給し、前記ガス供給ユニット２９は、前記カソード５へ酸化剤を含むガスを供給する。前記ガスとしては、様々なものが適用可能であるが、外部から導入される空気が好適である。
【００１８】
　前記燃料供給ユニット２７は、前記燃料としてメタノール水溶液を貯留するタンク９と前記アノードへ前記燃料を送出するためのポンプ１１とからなる。
【００１９】
　前記ガス供給ユニット２９は、前記カソード５の入口に接続された吸気路１５と、前記カソード５の出口に接続されたポンプ３１とを備える。
【００２０】
　前記ポンプ３１は、前記カソード５へ負圧を付与することによって、前記吸気路１５から前記カソード５へ前記酸化剤を含む前記ガスを導入する。前記負圧はまた、前記カソード５において連続的に生成される水および他の反応生成物が漏洩することを、前記水が結露して前記排気路１９を閉塞した場合においても、防止することとなる。
【００２１】
　上記説明において、前記負圧手段は唯一のポンプ３１を備えるとしたが、さらに他のポンプを前記吸気路１５上に備えてもよい。
【００２２】
　本発明の第二の実施形態を図４を参照して以下に説明する。下記の説明において、上記第一の実施形態と同一の要素については同一の参照番号を付して詳細な説明を省略する。主に異なる部分について説明する。
【００２３】
　本実施形態における燃料供給ユニットは、タンク９とポンプ２５および混合バッファタンク２３とを備える。前記排気路１９は、前記混合バッファタンク２３へ接続されている。前記カソード５において生成される水は、前記カソード５から排出される排気とともに前記混合バッファタンク２３へ送出される。前記混合バッファタンク２３は気液分離膜２１と調整弁３５と外部と連通した排気口３３とを備える。水は前記気液分離膜２１によって前記排気と分離されて前記混合バッファタンク２３に貯留された液体と混合される。
【００２４】
　前記タンク９には、メタノール水溶液の代わりに濃厚メタノールが貯留されており、前記ポンプ２５によって前記混合バッファタンク２３へと送出される。前記濃厚メタノールは、前記混合バッファタンク２３において、前記カソード５から送出された水と混合されて、適切な濃度となる。
【００２５】
　前記ポンプ３１は、前記カソード５に負圧を付与することによって、これに前記酸化剤を含む前記ガスを導入するだけでなく、前記バッファタンク２３に正圧を付与することによって、前記メタノールと水の混合物を燃料として前記アノード３に送出する。これにより、前記第一の実施形態における前記ポンプ１１に相当するポンプを省略し、以って前記燃料電池システムをシンプルかつコンパクトに構成せしめている。
【００２６】
　さらには、前記混合バッファタンク２３内の内圧は前記調整弁３５を開閉することによって制御することができる。それゆえ、前記調整弁３５によって前記燃料の前記アノード３への吐出圧および流量の制御が可能である。
【００２７】
　本発明の第三の実施形態を図５を参照して以下に説明する。下記の説明において、上記第一または第二の実施形態のいずれかと同一の要素については同一の参照番号を付して詳細な説明を省略する。主に異なる部分について説明する。
【００２８】
　本実施形態による燃料電池システムの構成は、上記の第二の実施形態と類似しているが、前記排気路１７は前記排気路１９と合流しており、前記ポンプ３１を介して前記混合バッファタンク２３への接続されている。
【００２９】
　前記ポンプ３１は、前記アノード３と前記カソード５の両方へ負圧を付与する負圧手段である。前記負圧は、前記アノード３へ燃料を導入するとともに、前記カソード５へ前記酸化剤を含む前記ガスを導入し、さらに前記アノード３および前記カソード５から液漏れを防いでいる。前記ポンプ３１はさらに前記混合バッファタンク２３へ正圧を付与して、燃料を前記アノード３へ導入せしめている。すなわち、前記燃料は、前記アノード３の前記負圧と、前記混合バッファタンク２３の前記正圧の両方により、送出されている。
【００３０】
　さらには、前記アノード３と前記カソード５からの両方の排気が前記混合バッファタンク２３へ導入されているので、前記排気に含まれる未反応メタノールおよび生成された水の両方が再利用される。
【００３１】
　本実施形態によれば、上記の実施形態と同じ効果が得られるのみならず、メタノールの再利用を効果的に行うことができる。さらには、燃料の送出がより安定せしめることができる。
【００３２】
　本発明の第四の実施形態を図６を参照して以下に説明する。下記の説明において、上記第一から第三の実施形態のいずれかと同一の要素については同一の参照番号を付して詳細な説明を省略する。主に異なる部分について説明する。
【００３３】
　本実施形態による燃料電池システムの構成は、上記の第二の実施形態と類似しているが、前記吸気路１５上にポンプ１３が、前記排気路１９上の前記ポンプ３１の代わりに備えられている。
【００３４】
　前記カソード５から排出された排気は前記混合バッファタンク２３へ導入され、またポンプ１３はこれに加圧を付与するので、前記第二の実施形態と同様に、前記カソード５で生成され、前記排気に含まれる水は再利用され、前記燃料は前記加圧によって送出される。
【００３５】
　本発明の第五の実施形態を図７を参照して以下に説明する。下記の説明において、上記第一から第四の実施形態のいずれかと同一の要素については同一の参照番号を付して詳細な説明を省略する。主に異なる部分について説明する。
【００３６】
　本実施形態の燃料電池は、上記第四の実施形態の構成を包含し、さらに、前記燃料供給ユニット２７において前記アノード３の上流側に流量センサ３７と、制御ユニット３９とを備える。前記流量センサ３７は、前記アノード３へ供給される燃料の流量を検出し、前記制御ユニット３９は、前記流量センサ３７からの信号を受けて前記調整弁３５と前記ポンプ１３を制御すべく構成されている。
【００３７】
　前記制御ユニット３９は、前記流量センサ３７からの信号と、所定の許容値とを比較する。許容上限値を越えた場合には、前記制御ユニット３９は、前記調整弁３５が開かれるほうへ調整し、および／または、前記ポンプ１３を抑制して、前記混合バッファタンク２３の正圧を減ずる。これにより、前記流量は前記許容値の範囲に減ぜられる。反対に、前記検出値が許容下限値を下回った場合には、前記制御ユニット３９は、前記調整弁３５を絞るべく調整し、および／または、前記ポンプ１３を促進して、前記混合バッファタンク２３の正圧を増大せしめる。これにより、前記流量は前記許容値の範囲に増大せしめられる。
【００３８】
　本実施形態によれば、前記燃料の流量は、効果的かつ自動的に前記流量センサ３７および前記制御ユニット３９により制御される。
【００３９】
　上記の説明において、流量センサ３７と制御ユニット３９は、前記第四の実施形態による燃料電池システムと結合されているが、前記第一から第三の実施形態のいずれの燃料電池システムとも結合しうる。そのような場合においても、同様な効果を得ることができる。
【００４０】
　本発明の第六の実施形態を図８を参照して以下に説明する。下記の説明において、上記第一から第五の実施形態のいずれかと同一の要素については同一の参照番号を付して詳細な説明を省略する。主に異なる部分について説明する。
【００４１】
　本実施形態の燃料電池システムは、上記の第五の実施形態と同様な構成を有しているが、前記流量センサ３７の代わりに圧力センサ４１を備えている。前記圧力センサ４１は、前記混合バッファタンク２３の内圧を検出してそれに伴う信号を前記制御ユニット３９に送る。
【００４２】
　前記制御ユニット３９は、前記圧力センサ４１からの信号と、所定の許容値とを比較する。許容上限値を越えた場合には、前記制御ユニット３９は、前記調整弁３５が開かれるほうへ調整し、および／または、前記ポンプ１３を抑制して、前記混合バッファタンク２３の正圧を減ずる。これにより、前記内圧は前記許容値の範囲に減ぜられる。反対に、前記検出値が許容下限値を下回った場合には、前記制御ユニット３９は、前記調整弁３５を絞るほうへ調整し、および／または、前記ポンプ１３を促進して、前記混合バッファタンク２３の内圧を増大せしめる。これにより、前記流量は前記許容値の範囲に増大せしめられる。
【００４３】
　本実施形態によれば、前記燃料の流量は、効果的かつ自動的に前記圧力センサ４１および前記制御ユニット３９により制御される。
【００４４】
　上記の第五の実施形態と同様に、前記圧力センサ４１および前記制御ユニット３９は、前記第一から第三の実施形態のいずれとも結合しうる。それらの場合においても、同様な効果が得られる。
【００４５】
　本発明の第七の実施形態を図９を参照して以下に説明する。下記の説明において、上記第一から第六の実施形態のいずれかと同一の要素については同一の参照番号を付して詳細な説明を省略する。主に異なる部分について説明する。
【００４６】
　ポンプ１１および１３、燃料電池１および燃料供給タンク９に関しては、本実施形態の燃料電池システムは、図２に示された従来技術と同じ構成を有するが、さらに吸気路１５に開閉弁４３および、排気路１７，１９のそれぞれに開閉弁４５，４７を備える。前記開閉弁４３，４５，４７は、前記燃料電池システムの電源スイッチと共に開閉されるべく構成されている。前記燃料電池システムがオフとなると、前記開閉弁４３，４５，４７も同時に閉じられる。
【００４７】
　前記燃料電池の各流路１５，１７，１９は、システムがオフとなるとともに閉じられるので、液漏れが防止される。燃料電池システムが搭載された電子機器が持ち運びされる場合には電源がオフとなるので、前記燃料電池システムから液漏れすることなく安全に前記電子機器を持ち運ぶことができる。
【００４８】
　本構成は、本実施形態の代わりに、前記第一から第六の実施形態のいずれにも適用することができる。それらの場合においても、本実施形態と同様な効果が得られる。
【００４９】
　例えば、前記第五の実施形態の燃料電池システムに前記開閉弁４３，４５，４７が適用された場合を例にとって、その動作手順を図１０を参照して以下に説明する。
【００５０】
　燃料電池システムの作動が始まると、図１０に示すステップＳ１に従って前記開閉弁４３，４５，４７は開かれる。次に、ステップＳ２に従って、前記流量センサ３７の検出値Ｑは、所定の許容上限値Ｑ１と比較される。前記許容上限値Ｑ１よりも大きい場合には、ステップＳ３が実行されて調整弁３５が開かれるほうへ調整され、ついで動作はステップＳ４へと移る。Ｑが許容上限値Ｑ１よりも大きくない場合には、直接ステップＳ４へと移る。
【００５１】
　前記ステップＳ４においては、検出値Ｑは所定の許容下限値Ｑ２と比較される。前記許容下限値Ｑ２よりも小さい場合には、ステップＳ５が実行されて調整弁３５が絞られ、ついで動作はステップＳ６へと移る。Ｑが許容下限値Ｑ２よりも小さくない場合には、直接ステップＳ６へと移る。
【００５２】
　ステップＳ６においては、作動を停止すべきか否かが判断される。作動を継続する場合には、動作はステップＳ２へ戻される。この場合には、燃料の流量Ｑは、許容値Ｑ１、Ｑ２の中に保持される。作動を停止する場合には、ステップＳ７が実行されて、開閉弁４３，４５，４７が同時に閉塞される。
【００５３】
　すなわち、燃料の流量Ｑは、動作の間、許容値に保持され、作動が停止された場合には、即座に吸気路および排気路１５，１７，１９が閉塞されて液漏れが防止される。
【００５４】
　上記の実施形態は、説明を簡便にするために、本発明を実施するための最小限の構成を含む各実施形態ごとに説明したが、各実施形態の構成は場合に応じて適宜組み合わせることができる。例えば、第五の実施形態の流量センサ３７と第六の実施形態の圧力センサ４１を同時に燃料電池システムに適用することができる。
【００５５】
　図１１は、結合された実施形態の例である第八の実施形態である。
【００５６】
　第八の実施形態においては、前記流量センサ３７が燃料の流量の不足を検出した場合には、前記混合バッファタンク２３の内圧を高めるべく前記制御ユニット３９は前記調整弁３５を一時的に絞り、以って前記混合バッファタンク２３から前記ポンプ１１への燃料供給量を増大する。
【００５７】
　内部の乾燥や燃料への泡の混入などの原因により燃料流量が減少するような偶発的場合に対して、燃料電池システムは直接的に応答し、燃料の不足を防止することができる。
【００５８】
　前記制御ユニット３９はさらに、燃料の漏洩を防止すべく、前記調整弁３５を閉塞するように制御する。かかる制御は、燃料電池システムが傾けられた場合において、効果的に安全を確保する。かかる制御を実施するため、燃料電池システムに傾斜センサ４９を備えることもできる。これらにより、前記燃料電池システムを安全に持ち運ぶことができる。
【００５９】
　本発明の好適な実施例を記述したが、本発明は上記実施例に限定されるものではない。上記開示内容に基づき、該技術分野の通常の技術を有する者が、実施例の修正ないし変形により本発明を実施することが可能である。
【図面の簡単な説明】
【００６０】
【図１】従来技術による直接型メタノール燃料電池の模式図である。
【図２】従来技術による燃料電池システムの模式図である。
【図３】本発明の第一の実施形態による燃料電池システムの模式図である。
【図４】本発明の第二の実施形態による燃料電池システムの模式図である。
【図５】本発明の第三の実施形態による燃料電池システムの模式図である。
【図６】本発明の第四の実施形態による燃料電池システムの模式図である。
【図７】本発明の第五の実施形態による燃料電池システムの模式図である。
【図８】本発明の第六の実施形態による燃料電池システムの模式図である。
【図９】本発明の第七の実施形態による燃料電池システムの模式図である。
【図１０】バルブ制御に関わるフローチャートである。
【図１１】本発明の第八の実施形態による燃料電池システムの模式図である。
【符号の説明】
【００６１】
　１　燃料電池
　３　アノード
　５　カソード
　７　電解質膜
　１１，１３，３１　ポンプ
　１５　吸気路
　１７，１９　排気路
　２３　混合バッファタンク
　２７　燃料供給ユニット
　２９　ガス供給ユニット
　３５　調整弁
　３７　流量センサ
　３９　制御ユニット
　４１　圧力センサ
　４３，４５，４７　開閉弁
　４９　傾斜センサ
【図１】
2004146371.tif 000003
【図２】
2004146371.tif 000004
【図３】
2004146371.tif 000005
【図４】
2004146371.tif 000006
【図５】
2004146371.tif 000007
【図６】
2004146371.tif 000008
【図７】
2004146371.tif 000009
【図８】
2004146371.tif 000010
【図９】
2004146371.tif 000011
【図１０】
2004146371.tif 000012
【図１１】
2004146371.tif 000013